(57)【要約】【課題】  実際のグリーン上でパットを行う状況に即してパットの練習を行うことのできるパット練習用マットを提供する。【解決手段】  疑似ホール４を有する細長いマット本体１の上でゴルフボール２を疑似ホール４を目指してパターヘッド３で打球することによりパット練習を行うことに用いられるパット練習用マットであり、マット本体１の外輪郭線イ，ロを、パターヘッド３のフェースの向き及び振り抜き方向を定める基準線として利用することのできない曲線によって形作る。外輪郭線イを波形曲線とすることが可能である。マット本体１の上面が、打球箇所から疑似ホール４に向かって蛇行状に延びているという構成を採用してもよい。【選択図】        図１
2006223696.tif 000002
【特許請求の範囲】
【請求項１】
疑似ホールを有する細長いマット本体の上でゴルフボールを上記疑似ホールを目指してパターヘッドで打球することによりパット練習を行うことに用いられ、かつ、打球者の視界に入る上記マット本体の外輪郭線が、打球したボールを上記疑似ホールに向かって転がらせるための上記パターヘッドのフェースの向き及び振り抜き方向を定める基準線として利用することのできる直線状に形成されているパット練習用マットにおいて、
マット本体の直線状の上記外輪郭線を、上記パターヘッドのフェースの向き及び振り抜き方向を定める基準線として利用することができないか、あるいは、利用しにくい曲線に変更したことを特徴とするパット練習用マット。
【請求項２】
上記マット本体の幅方向両縁によって形作られている上記外輪郭線が波形曲線に形成されていて、その波形曲線の波形の繰返し方向が、上記パターヘッドの振り抜き方向に沿っている請求項１に記載したパット練習用マット。
【請求項３】
上記マット本体の長手方向端縁を形作っている上記外輪郭線が、単一の連続曲線又は複数の連続曲線の組合せでなる請求項２に記載したパット練習用マット。
【請求項４】
マット本体の上面が、打球箇所から上記疑似ホールに向かって蛇行状に延びていると共に、マット本体の幅方向両縁によって形作られている波形曲線でなる上記外輪郭線の山部同士又は谷部同士が一直線上に揃っていない請求項２又は請求項３に記載したパット練習用マット。
【発明の詳細な説明】
【技術分野】
【０００１】
本発明は、パット練習用マット、特に、実際のゴルフコースのグリーン上でパットを行う状況に即してパットの練習を行いやすくするための対策を講じたパット練習用マットに関する。
【背景技術】
【０００２】
パット練習用マットは、表面に人工芝を敷設した細長いマット本体の一端部に設けられている疑似ホールを目指して他端部側からゴルフボールをパターヘッドで打球することができるようになっていて、一般的には実際のゴルフコースのグリーン上でパットを行う際の練習用として用いられる。
【０００３】
図３に一部破断平面図で示したように、この種の従来のパット練習用マットは、マット本体１の外輪郭線が細長四角形に形作られていた。すなわち、マット本体１の幅方向両端縁によって形作られている外輪郭線イ，イ同士が平行又は略平行で、マット本体１の長手方向両端縁によって形作られている外輪郭線ロ，ロ同士も平行又は略平行になっていた。そして、パット練習を行うときには、マット本体１上で打球場所を選んでその場所にゴルフボール２を置き、そのゴルフボール２の置き場所の横で構えた打球者がパターを振ってそのパターヘッド３で疑似ホール４を目指してゴルフボール２を矢印ａのように打球するということが行われている。
【０００４】
このようなパット練習用マットを用いてパット練習を行う場合、マット本体１の幅方向端縁の外輪郭線イや長手方向端縁の外輪郭線ロを基準線としてパターヘッド３のフェースの向きや打球時のパターの振り抜き方向を適切に定めると、そのときのゴルフボール２の置き場所や打球の強さが適切であればゴルフボール２が仮想線で示した矢印ｂのように転がって疑似ホール４に入る確率が非常に高くなる。そして、上記の外輪郭線イ，ロは、ゴルフボール２の置き場所の横に構えた打球者にとっては、意識的に目で見てそれらを基準線としてパターヘッド３のフェースの向きや打球時のパターの振り抜き方向を適切に定めることができるだけでなく、意識しなくても外輪郭線イ，ロが打球者自身の視界に入るために、無意識のうちに外輪郭線イ，ロを基準線としてパターヘッド３のフェースの向きや打球時のパターの振り抜き方向を定めていることがある。
【０００５】
一方、先行例によっても、図３を参照して説明した従来のパット練習用マットに見られる細長四角形の外輪郭線形状を有するパター練習用マットが知られている（たとえば特許文献１参照）。
【０００６】
【特許文献１】特開２０００−０２４１５８号公報
【発明の開示】
【発明が解決しようとする課題】
【０００７】
しかしながら、図３を参照して説明した従来のパット練習用マットを用いてパット練習を行う理由が、実際のグリーン上でのパットをうまくこなせるようになるためであるということを勘案すれば、マット本体１の外輪郭線イや外輪郭線ロを基準線としてパターヘッド３のフェースの向きや打球時のパターの振り抜き方向を適切に定めておくだけで、ゴルフボール２が疑似ホール４に高い確率で入ってしまうということは次に説明する理由によって必ずしも好ましいことではない。
【０００８】
すなわち、実際のゴルフコースのグリーンには、パターヘッド３のフェースの向きや打球時のパターの振り抜き方向を定める基準線として利用することのできるものが存在していないにもかかわらず、パット練習用マットを用いたパット練習の際に上記のように意識的にあるいは無意識に、視界に入った外輪郭線イ，ロを基準線としてパターヘッド３のフェースの向きや打球時のパターの振り抜き方向が適切に定まってしまうという状況が生じると、練習の成果が、パット練習用マットを用いる練習では十分に生かせても、基準線を定めることのできない実際のグリーン上では十分に生かせなくなる。
【０００９】
本発明は以上の状況に鑑みてなされたものであり、マット本体の外輪郭線をパターヘッドのフェースの向きや打球時のパターの振り抜き方向を定める基準線として利用することができないか、あるいは、利用しにくいようにすることのできる対策を講じることによって、練習時のパット環境を実際のゴルフコースのグリーン上でのパット環境により近付けることのできるパット練習用マットを提供することを目的とする。
【課題を解決するための手段】
【００１０】
本発明に係るパット練習用マットは、疑似ホールを有する細長いマット本体の上でゴルフボールを上記疑似ホールを目指してパターヘッドで打球することによりパット練習を行うことに用いられ、かつ、打球者の視界に入る上記マット本体の外輪郭線が、打球したボールを上記疑似ホールに向かって転がらせるための上記パターヘッドのフェースの向き及び振り抜き方向を定める基準線として利用することのできる直線状に形成されているパット練習用マットにおいて、マット本体の直線状の上記外輪郭線を、上記パターヘッドのフェースの向き及び振り抜き方向を定める基準線として利用することができないか、あるいは、利用しにくい曲線に変更した、というものである。
【００１１】
この発明のように、打球者の視界に入るマット本体の外輪郭線が曲線であって、その外輪郭線が、パターヘッドのフェースの向き及び振り抜き方向を定める基準線として利用することができないか、あるいは、利用しにくくなっていると、パターヘッドのフェースや振り抜き方向をマット本体の外輪郭線を基準にして定めることができなくなるので、当該パット練習用マット上でのパット環境が、基準線として利用できるものの存在しない実際のゴルフコースのグリーン上でのパット環境に近づく。そのため、実際のグリーン上でパットを行う状況に即してパットの練習を行いやすくなる。
【００１２】
本発明では、上記マット本体の幅方向両縁によって形作られている上記外輪郭線が波形曲線に形成されていて、その波形曲線の波形の繰返し方向が、上記パターヘッドの振り抜き方向に沿っている、という構成を採用することが可能であり、これによれば、従来の細長四角形のマット本体の場合と同様に、マット本体をコンパクトに折り畳んだりロール巻きしたりして持ち運びや保管を容易に行うことができるだけでなく、折り畳んだりロール巻きしたマット本体を展開してパット練習に供することも容易に行うことができる。
【００１３】
本発明では、上記マット本体の長手方向端縁を形作っている上記外輪郭線が、単一の連続曲線又は複数の連続曲線の組合せでなるものであってもよい。これによっても、マット本体の長手方向端縁を形作っている上記外輪郭線を、パターのフェースの向きや振り抜き方向を定めの基準線として利用することが困難になるので、実際のグリーン上でパットを行う状況に即してパットの練習を行いやすくなる。
【００１４】
本発明では、マット本体の上面が、打球箇所から上記疑似ホールに向かって蛇行状に延びていると共に、マット本体の幅方向両縁によって形作られている波形曲線でなる上記外輪郭線の山部同士又は谷部同士が一直線上に揃っていないことが望ましい。これによっても、パターのフェースの向きや振り抜き方向を定めの基準線として利用できるものを見い出しにくいので、実際のグリーン上でパットを行う状況に即してパットの練習を行いやすくなる。
【発明の効果】
【００１５】
以上のように、本発明によれば、マット本体の外輪郭線をパターヘッドのフェースの向きや打球時のパターの振り抜き方向を定める基準線として利用することができないか、あるいは、利用しにくくなるので、練習時のパット環境が実際のゴルフコースのグリーン上でのパット環境に近付き、実際のグリーン上でパットを行う状況に即してパットの練習を行いやすくなるという効果が奏される。
【発明を実施するための最良の形態】
【００１６】
図１は本発明に係るパット練習用マットの一部破断平面図である。同図のように、このパット練習用マットのマット本体１は、その幅方向両側の外輪郭線イ，イが波形曲線に形成されていて、その波形曲線の波形の繰返し方向が、上記パターヘッドの振り抜き方向に沿っていると共に、マット本体１の上面１２が、打球箇所から疑似ホール４に向かって蛇行状に延びている。また、マット本体１の長手方向両側の端縁を形作っている外輪郭線ロ，ロが単一の膨らみ形状の連続曲線によって形作られている。なお、マット本体１に上記疑似ホール４が備わり、マット本体１の上でゴルフボール２を疑似ホール４を目指してパターヘッド３で矢印ａのように打球することによりパット練習を行う、という点では図３を参照して説明した従来例と同様である。
【００１７】
このパット練習用マットを用いてパット練習を行う場合、パターヘッド３のフェースの向きが疑似ホール４とゴルフボール２の置き場所とを結ぶ仮想直線に対して直角に定められ、かつ、打球時のパターの振り抜き方向がその仮想直線に沿う方向に定められると、そのときの打球の強さが適切であれば、ゴルフボール２が仮想線で示した矢印ｂのように転がって疑似ホール４に入る確率が高くなる。
【００１８】
しかしながら、マット本体１の外輪郭線イ，ロが曲線であるために、それらの外輪郭線イ，ロをパターヘッド３のフェースの向きや打球時のパターの振り抜き方向を定める基準線として利用することができないか、それらを基準線として利用することが非常に困難である。むしろ、それらの外輪郭線イ，ロが視界に入る場合には、それらの外輪郭線イ，ロが、パターヘッド３のフェースの向きや打球時のパターの振り抜き方向を適切に定めることの障害にもなり得る。そのため、ゴルフボール２の置き場所の横に構えた打球者は、疑似ホール４を注視しつつ、自己の感覚だけに頼ってパターヘッド３のフェースの向きや打球時のパターの振り抜き方向を適切に定めなければならない。この状況は、実際のゴルフコースのグリーン上でパットを行う際の状況に酷似していると云える。したがって、当該パット練習用マットを用いてパット練習を行うときの環境が実際のゴルフコースのグリーン上でのパット環境に近付き、実際のグリーン上でパットを行う状況に即してパットの練習を行うことができるようになる。
【００１９】
ところで、パット練習用マットは必要に応じてコンパクトに折り畳んだりロール巻きしたりして片付けられ、また、使用時に展開されるものである。この点に関し、図１の事例のパット練習用マットは、図３を参照して説明した従来例の場合と同様に、マット本体１をコンパクトに折り畳んだりロール巻きしたりして持ち運びや保管を容易に行うことができるだけでなく、折り畳んだりロール巻きしたマット本体１を展開してパット練習に供することも容易に行うことができるという利点がある。
【００２０】
図１の事例では、マット本体１の幅方向両側の外輪郭線イ，イが波形曲線に形成されていて、その波形曲線の波形の繰返し方向が、上記パターヘッドの振り抜き方向に沿っていると共に、マット本体１の上面１２が、打球箇所から疑似ホール４に向かって蛇行状に延びている、という構成を採用しているので、既述したように、外輪郭線イやマット本体１の上面１２をパターヘッド３のフェースの向きや打球時のパターの振り抜き方向を定める基準線として利用することができないか、それらを基準線として利用することが非常に困難である。しかし、このような形状のマット本体１であっても、波形曲線でなる外輪郭線イの山部ｔや谷部ｖが、たとえば図１に仮想線で示したように一直線上に揃っていると、それらの山部ｔ又は谷部ｖを結ぶ仮想直線を基準線としてパターヘッド３のフェースの向きや打球時のパターの振り抜き方向を定めることが可能になるとも云える。そこで、そのような事態を回避するために、図１の事例では、実線で示したように複数箇所の山部ｔの位置や谷部ｖの位置を一直線上に揃わない位置に定めてある。こうしておけば、山部ｔや谷部ｖの位置を基準にしてパターヘッド３のフェースの向きや打球時のパターの振り抜き方向を定めることができないか、定めることがさらに困難になり、パット練習を実際のグリーン上での状況に即して行いやすくなる。
【００２１】
図１の事例では、マット本体１の長手方向端縁を形作っている外輪郭線ロが、単一の膨らみ形状の連続曲線によって形作られているけれども、この点は、図２に示したように、その外輪郭線ロを複数の連続曲線ロ’を組合せて形作っておいてもよい。また、同図のように、マット本体１の幅方向の外輪郭線イについても、その外輪郭線イを複数の連続曲線イ’を組合せて形作っておいてもよい。
【図面の簡単な説明】
【００２２】
【図１】本発明に係るパット練習用マットの一部破断平面図である。
【図２】変形例によるパット練習用マットの要部平面図である。
【図３】従来例の一部破断平面図である。
【符号の説明】
【００２３】
１  マット本体
２  ゴルフボール
３  パターヘッド
４  疑似ホール
イ，ロ  マット本体の外輪郭線
ロ’  単一の連続曲線
ｔ  山部
ｖ  谷部
【図１】
2006223696.tif 000003
【図２】
2006223696.tif 000004
【図３】
2006223696.tif 000005